(57)【要約】【課題】型枠合板端で挟みこむ挟み片を一体に突設することで、釘止めをせずに型枠に固定できるので、コンクリートの打設時に剥がれたり、ずれたりするおそれがない。【解決手段】型枠合板５に設置する目地棒９において、目地棒９の型枠合板５の接合面側に、型枠合板５端で挟み込む挟み片１１を一体に突設した。また、目地棒９にノッチ形成用の尖頭突起１２を一体に突設した。【選択図】        図１
2008038551.tif 000002
【特許請求の範囲】
【請求項１】
型枠合板に設置する目地棒において、型枠合板の接合面側に、型枠合板端で挟み込む挟み片を一体に突設したことを特徴とする鉄筋コンクリート造建築物の壁の目地棒。
【請求項２】
挟み片は、型枠合板端および型枠合板端に取り付けた桟木に充分沿うだけの幅であり、桟木同士でも挟み込む請求項１記載の鉄筋コンクリート造建築物の壁の目地棒。
【請求項３】
挟み片は、端部を直角に曲げたＬ型またはＴ型の断面を有する請求項２記載の鉄筋コンクリート造建築物の壁の目地棒。
【請求項４】
端部を直角に曲げたＬ型またはＴ型の断面を有する挟み片は、その曲げ部分を型枠合板と桟木で挟み込む請求項３記載の鉄筋コンクリート造建築物の壁の目地棒。
【請求項５】
ノッチ形成用の尖頭突起を一体に突設した請求項１ないし請求項４のいずれかに記載の鉄筋コンクリート造建築物の壁の目地棒。
【請求項６】
ノッチ形成用の尖頭突起を一体に突設した部分は上部として、これを挟み片を一体に突設した下部のベース部分に対して分割して設ける請求項５記載の鉄筋コンクリート造建築物の壁の目地棒。
【請求項７】
ノッチ形成用の尖頭突起を一体に突設した部分は上部として、これを釘止め可能な下部のベース部分に対して分割して設けたことを特徴とする鉄筋コンクリート造建築物の壁の目地棒。
【発明の詳細な説明】
【技術分野】
【０００１】
本発明は、鉄筋コンクリート造建築物の壁の目地棒に関するものである。
【背景技術】
【０００２】
下記特許文献１にもあるように、目地棒は、コンクリート，モルタル構造物の目地形成に使用するもので、近年、断面台形の発泡合成樹脂製のものと、内部が中空の硬質合成樹脂製のものとが広く実用化され、１本が約２ｍで、木製型枠パネルに上底部から釘打ちして使用するものである。
【特許文献１】特開平１１−１４１１２１号公報
【０００３】
一方、鉄筋鉄骨コンクリート造、鉄筋コンクリート造などの鉄筋コンクリート造建築物の外壁などではコンクリートの乾燥収縮により亀裂が発生し、躯体強度の低下を招くおそれがある。そこで、任意の多数箇所に亀裂が発生することを防止するため、コンクリート躯体の所定箇所に予め亀裂誘発部（ノッチ）を施しておき、この箇所に応力を集中させてひび割れを積極的に起こし、他の箇所に亀裂が発生しないようにしている。
【０００４】
下記特許文献２は、化粧目地部にひび割れを確実に生じさせるようにしたもので、コンクリートの打設時に目地部に亀裂誘発部（ノッチ）を形成するための目地部材である。
【特許文献２】特開２００４−３４６５５９号公報
【０００５】
図１１に示すように、目地部材１の基端部２は、台形の下底を構成する面が露出面となる。断面欠損部３は、例えば、板状の鉄板で構成され、基端部２に設置された状態で、基端部２から突出する部分を覆う鞘部材８が設けられている。鞘部材８は、コンクリート硬化後、断面欠損部３を容易に取除くことができるように、断面欠損部３が直接コンクリートと接しないよう、断面欠損部３のコンクリートと接する表面を全て覆うように形成される。また、鞘部材８はコンクリート構造物中に残るので、止水機能を高めるため非加硫ブチルゴム等で形成する。
【０００６】
基端部２の型枠４への固定は、例えば、釘止めによって行い、千鳥打ちする。また、基端部２をコンクリートから取除き易くするために、基端部２の表面に剥離材を塗布する。断面欠損部３と鞘部材８との間には、摩擦を少なくして断面欠損部３を抜き取り易くするために、油脂等を塗布する。
【０００７】
型枠４を設置し、コンクリート打設後、基端部２は型枠４と共にコンクリート構造物から取除かれる。更に、断面欠損部３（板状部材）についてもコンクリート構造物から取除き、その後、鞘部材８をコンクリート構造物の内部に残した状態で、この化粧目地部に充填材を充填する。
【０００８】
このように、目地部材１を基端部２と剛性を有する断面欠損部３とを有する構成にしてあれば、ひび割れをコンクリート表面側から発生させることができる。コンクリート表面の化粧目地部よりひび割れを誘導するため、ひび割れが化粧目地部から離れた部位に発生するのを防止できる。また、コンクリート表面に基端部、内方に断面欠損部を一体に構成するから、両者間の位置ずれが生じ得ず、基端部及び断面欠損部の位置決めにかかる手間も省力化できる。
【０００９】
更に、断面欠損部３を剛性を有する部材で構成することにより、コンクリートの打設時に、断面欠損部３が変形したり湾曲したりするのを防止し、断面欠損部３を所期の位置姿勢に確実に固定して意図しない部位にひび割れが生じるのを有効に防止することができる。
【００１０】
従って、基端部と剛性を有する断面欠損部とを有する構成にすることにより、コンクリート構造物の形成を容易にし、且つ、ひび割れを適切に誘導することが可能な目地部材を簡易な構造で実現することができる。また、これによって、止水対策等を適切に施すことが可能になるので、構造用鉄筋の腐蝕や、コンクリートの機能及び耐久性の低下をより有効に防止することができる。
【発明の開示】
【発明が解決しようとする課題】
【００１１】
前記特許文献１や特許文献２のように、目地部材を型枠への固定は釘止めによって行うのでは、これが不十分であるとコンクリートの打設時に剥がれたり、ずれたりする不都合が生じる。
【００１２】
また、特許文献２のように目地部材１を基端部２と剛性を有する断面欠損部３との２部材で構成し、断面欠損部３が基端部２から分離可能に構成されているようなものでは、基端部２を釘止めするのに断面欠損部３の存在が邪魔になり、断面欠損部３に損傷を及ぼすおそれがある。
【００１３】
本発明の目的は前記従来例の不都合を解消し、型枠合板端で挟みこむ挟み片を一体に突設することで、釘止めをせずに型枠に固定できるので、コンクリートの打設時に剥がれたり、ずれたりするおそれがない鉄筋コンクリート造建築物の壁の目地棒を提供することにある。
【課題を解決するための手段】
【００１４】
前記目的を達成するため本発明は、第１に、型枠合板に設置する目地棒において、型枠合板の接合面側に、型枠合板端で挟み込む挟み片を一体に突設したこと、第２に、挟み片は、型枠合板端および型枠合板端に取り付けた桟木に充分沿うだけの幅であり、桟木同士でも挟み込むこと、第３に、挟み片は、端部を直角に曲げたＬ型またはＴ型の断面を有すること、第４に、端部を直角に曲げたＬ型またはＴ型の断面を有する挟み片は、その曲げ部分を型枠合板と桟木で挟み込むこと、第５に、ノッチ形成用の尖頭突起を一体に突設したこと、第６に、ノッチ形成用の尖頭突起を一体に突設した部分は上部として、これを挟み片を一体に突設した下部のベース部分に対して分割して設けることを要旨とするものである。
【００１５】
第７に、ノッチ形成用の尖頭突起を一体に突設した部分は上部として、これを釘止め可能な下部のベース部分に対して分割して設けたことを要旨とするものである。
【００１６】
請求項１記載の本発明によれば挟み片を一体に突設することで、この挟み片を用いて釘止めをせずに型枠に固定できる。
【００１７】
請求項２記載の本発明によれば、挟み片は、型枠合板端および型枠合板端に取り付けた桟木に充分沿う幅であり、型枠合板端のみならず、桟木同士でも挟み込むことでより確実に型枠合板に取り付けることができる。また、挟み片部分を桟木に釘止めすることもできる。
【００１８】
請求項３記載の本発明によれば、挟み片は、端部を直角に曲げたＬ型またはＴ型の断面を有するものであるので、この曲げた部分を桟木の角部に回して、一層堅牢な固定とすることができる。
【００１９】
請求項４記載の本発明によれば、端部を直角に曲げたＬ型またはＴ型の断面を有する挟み片は、その曲げ部分を型枠合板と桟木で挟み込むことでより確実な固定が得られ、また、挟み片も幅の少ないものとすることができる。
【００２０】
請求項５記載の本発明によれば、一体に突設したノッチ形成用の尖頭突起により目地の奥にノッチを同時に形成することができ、このように目地の奥にノッチが形成されるためひび割れの誘発効果が高く、また、目地における防水処理も従来と同じように行うことができる。しかも、ノッチ形成用の尖頭突起は一体に突設するものなので、部材点数も少なくてすみ、セットも容易である。
【００２１】
請求項６記載の本発明によれば、ノッチ形成用の尖頭突起を一体に突設した部分と挟み片を一体に突設した部分はこれらをて分割して設けることにより、先に挟み片を一体に突設した部分を型枠に固定して、これにノッチ形成用の尖頭突起を一体に突設した部分を後から取り付けることが可能である。
【００２２】
請求項７記載の本発明によれば、前記請求項６と同様に、ノッチ形成用の尖頭突起を一体に突設した部分と挟み片を一体に突設した部分はこれらを分割して設けることにより、先に挟み片を一体に突設した部分を型枠に固定して、これにノッチ形成用の尖頭突起を一体に突設した部分を後から取り付けることが可能である。
【発明の効果】
【００２３】
以上述べたように本発明の鉄筋コンクリート造建築物の壁の目地棒は、型枠合板端で挟みこむ挟み片を一体に突設することで、釘止めをせずに型枠に固定できるので、コンクリートの打設時に剥がれたり、ずれたりするおそれがないものである。また、一体に突設したノッチ形成用の尖頭突起により目地の奥にノッチを同時に形成することができ、ひび割れの誘発効果が高く、目地における防水処理も従来と同じように行うことができるものである。
【発明を実施するための最良の形態】
【００２４】
以下、図面について本発明の実施形態を詳細に説明する。図１は本発明の鉄筋コンクリート造建築物の壁の目地棒の１実施形態を示す設置状態の横断平面図、図２は本発明の鉄筋コンクリート造建築物の壁の目地棒の斜視図で、図中５は型枠合板、６はこの型枠合板５により形成する鉄筋コンクリート造建築物の壁７のコンクリートである。
【００２５】
このような型枠合板５に設置する目地棒９として、下底部１０を型枠合板５への接合面とした断面かまぼこ形状の目地棒において、この下底部１０側から型枠合板５端で挟み込む挟み片１１を一体に突設した。
【００２６】
本実施形態ではこの挟み片１１は、型枠合板５端および型枠合板５端に取り付けた桟木１３に充分沿うだけの幅であり、桟木１３同士でもこの挟み片１１を挟み込むことができるようにする。
【００２７】
さらに、挟み片１１は、端部を直角に曲げた曲げ部１１ａを有するＬ型またはＴ型の断面のものである。
【００２８】
また、目地棒９は下底部１０側と反対の頭側を尖らせてノッチ形成用の突起１２を一体に突設した。この突起１２の先端は鋭角に尖らせたが、これを尖らせなくともよい。尖頭突起とは目地棒９の頭部分にある突起の意味である。
【００２９】
目地棒９の材質は、発泡合成樹脂や硬質合成樹のような合成樹脂製またはゴム製等であり、挟み片１１も同様であるが、目地棒９と挟み片１１は一体的なものであれば、必ずしも同じ材質である必要はない。
【００３０】
前記目地棒９を設置するには、図３に示すように桟木１３を端部に取り付けた型枠合板５端にこれらに沿うように挟み片１１を当て、挟み片１１の部分を桟木１３に釘１４で止める。
【００３１】
その際、端部を直角に曲げた曲げ部１１ａは桟木１３の角部に回しておけば位置決めが容易である。
【００３２】
このように一方の型枠合板５の端に目地棒９を設置して、もう一方の桟木１３付の型枠合板５を組み立てれば、図１に示すように、目地棒９を型枠合板５の内側に、かつ、直接釘打ちすることなく、挟み片１１を介して取り付けることができる。
【００３３】
前記実施形態では目地棒９を断面かまぼこ形状の目地棒としたが、図４、図５に示すように台形状、正方形状としてもよく、また、図示は省略するが、三角形や円形と矩形の結合したその他の形状としてもよい。
【００３４】
また、いずれの形状においても内部を中空とすることもできる。
【００３５】
図６は本発明の第２実施形態を示すもので、前記挟み片１１はその幅は型枠合板５の厚さと同じ程度とし、挟み片１１はその曲げ部１１ａを型枠合板５と桟木１３で挟み込むものとした。
【００３６】
さらに、図７は本発明の第３実施形態を示すもので、前記挟み片１１はこれを複数として間隔を存して目地棒９は下底部１０側に設けた。
【００３７】
なお、挟み片１１の端部を直角に曲げた曲げ部１１ａはこれを設けないことも有り得る。
【００３８】
このようにして本発明の目地棒９を型枠合板５に設置してコンクリート６を打設して鉄筋コンクリート造建築物の壁７を形成した場合、図８〜図１０に示すように、脱形後に目地棒９により壁７の面に目地１５が形成され、その目地１５の奥にはノッチ１６が形成される。また、目地１５にはシール材１７を充填して、防水処理を施してもよい。
【００３９】
このノッチ１６はひび割れを誘発するためのものであり、壁７の反対面に形成するノッチ１８と組み合わせることも可能である。
【００４０】
図８は断面かまぼこ形状の目地棒９を用いて目地１５を形成した場合、図９、図１０は断面台形状の目地棒９を用いて目地１５を形成した場合である。
【００４１】
図１２は本発明の第４実施形態を示すもので、ノッチ形成用の突起１２を一体に突設した部分は上部９ａとして、これを挟み片１１を一体に突設した下部のベース部分９ｂに対して分割して設けるものとする。この上部９ａとベース部分９ｂとの結合は、接着や嵌合などが可能である。
【００４２】
目地棒９を設置するには、桟木１３を端部に取り付けた型枠合板５端にこれらに沿うように挟み片１１を当て、挟み片１１の部分を桟木１３に釘１４で止める。その後、上部９ａをベース部分９ｂに結合させる。
【００４３】
さらに、第５実施形態として、図１３に示すように、下部のベース部分９ｂはこれを挟み片を一体に突設したものとせずに、釘１４で型枠合板５で釘止め可能なものとした。
【００４４】
目地棒９を設置するには、桟木１３を端部に取り付けた型枠合板５にベース部分９ｂを釘１４で止める。その後、上部９ａをベース部分９ｂに結合させる。
【図面の簡単な説明】
【００４５】
【図１】本発明の鉄筋コンクリート造建築物の壁の目地棒の１実施形態を示す設置状態の横断平面図である。
【図２】本発明の鉄筋コンクリート造建築物の壁の目地棒の１実施形態を示す斜視図である。
【図３】本発明の鉄筋コンクリート造建築物の壁の目地棒の１実施形態を示す設置中の状態の横断平面図である。
【図４】本発明の鉄筋コンクリート造建築物の壁の目地棒の他の形状の側面図である。
【図５】本発明の鉄筋コンクリート造建築物の壁の目地棒のさらに他の形状の側面図である。
【図６】本発明の鉄筋コンクリート造建築物の壁の目地棒の第２実施形態を示す設置中の状態の横断平面図である。
【図７】本発明の鉄筋コンクリート造建築物の壁の目地棒の第３実施形態を示す斜視図である。
【図８】本発明の目地棒を用いて形成した鉄筋コンクリート造建築物の壁の第１例を示す横断平面図である。
【図９】本発明の目地棒を用いて形成した鉄筋コンクリート造建築物の壁の第２例を示す横断平面図である。
【図１０】本発明の目地棒を用いて形成した鉄筋コンクリート造建築物の壁の第３例を示す横断平面図である。
【図１１】従来例を示す説明図である。
【図１２】本発明の鉄筋コンクリート造建築物の壁の目地棒の第４実施形態を示す設置中の状態の横断平面図である。
【図１３】本発明の鉄筋コンクリート造建築物の壁の目地棒の第５実施形態を示す設置中の状態の横断平面図である。
【符号の説明】
【００４６】
１  目地部材                ２  基端部
３  断面欠損部              ４  型枠
５  型枠合板                ６  コンクリート
７  壁                      ８  鞘部材
９  目地棒                  ９ａ  上部
９ｂ  ベース部分            １０  下底部
１１  挟み片                １１ａ  曲げ部
１２  突起                  １３  桟木
１４  釘                    １５  目地
１６  ノッチ                １７  シール材
１８  ノッチ
【図１】
2008038551.tif 000003
【図２】
2008038551.tif 000004
【図３】
2008038551.tif 000005
【図４】
2008038551.tif 000006
【図５】
2008038551.tif 000007
【図６】
2008038551.tif 000008
【図７】
2008038551.tif 000009
【図８】
2008038551.tif 000010
【図９】
2008038551.tif 000011
【図１０】
2008038551.tif 000012
【図１１】
2008038551.tif 000013
【図１２】
2008038551.tif 000014
【図１３】
2008038551.tif 000015